(57)【要約】【課題】  各時点で高い流出信頼性を保証し、貯蔵器パラメータと品質変動が従属された意味に分配されなければならないように、形成されているこの種の液体貯蔵器を備えている筆記装置、製図装置及びマーキング装置又はそのいずれか一つの装置を創作すること。【解決手段】  この発明は、筆記装置、製図装置及びマーキング装置又はそのいずれか一つの装置に関し、装置が少なくとも一つの軸（１）と、その軸に挿入された液体貯蔵器（３）と筆記芯（２）を有し、筆記芯（２）と液体貯蔵器（３）の間に筆記媒体を案内する少なくとも一つの接触点或いは接触領域が形成されていて、少なくとも一つの液体貯蔵器（３）が筆記芯（２）に向いた側面に保護塗装（３１）を備える領域を有し、保護塗装（３１）を備える領域が液体貯蔵器（３）の全自由前面（３４）を包含し、保護塗装（３１）を備える領域が外面（３３）の少なくとも一つの部分領域に延びて形成されている。【選択図】図１
2008254440.tif 000002
【特許請求の範囲】
【請求項１】
装置が少なくとも一つの軸と、その軸に挿入された液体貯蔵器と筆記芯を有し、筆記芯と液体貯蔵器の間に筆記媒体を案内する少なくとも一つの接触点或いは接触領域が形成されている筆記装置、製図装置及びマーキング装置又はそのいずれか一つの装置において、少なくとも一つの液体貯蔵器（３）が筆記芯（２）に向いた側面に保護塗装（３１）を備える領域を有し、保護塗装（３１）を備える領域が液体貯蔵器（３）の全自由前面（３４）を包含し、保護塗装（３１）を備える領域が外面（３３）の少なくとも一つの部分領域に延びて形成されていることを特徴とする装置。
【請求項２】
保護塗装（３１）が液体を留保するように形成されていることを特徴とする請求項１に記載の装置。
【請求項３】
外面（３３）の少なくとも一つの部分領域に形成された領域が前面保護塗装（３１１）を備える外面保護塗装（３１２）により関連した及び一分材の又はそのいずれか一方の保護塗装（３１）として形成されていることを特徴とする請求項１或いは２に記載の装置。
【請求項４】
保護塗装（３１）を備える領域が表面保護塗装として形成されていて、表面保護塗装が膜、箔及び形状安定な収集する水槽として存在することを特徴とする請求項１乃至３のいずれか一項に記載の装置。
【請求項５】
液体貯蔵器（３）が繊維材料、海綿材料、合成樹脂球及び焼結された合成樹脂球又はそのいずれか一つから成ることを特徴とする請求項１に記載の装置。
【請求項６】
筆記芯（２）が前面保護塗装（３１１）の接触開口（３２）を完全に充填することを特徴とする請求項１乃至５のいずれか一項に記載の装置。
【請求項７】
前面保護塗装（３１１）と筆記芯（２）の外面（２３）の間には接触開口（３２）の領域に毛細管隙間が形成されていることを特徴とする請求項１乃至６のいずれか一項に記載の装置。
【請求項８】
貯蔵器が毛細管状に形成されている筆記装置、製図装置及びマーキング装置又はそのいずれか一つの装置用の液体貯蔵器において、液体貯蔵器（３）が保護塗装（３１）を有する表現領域を有し、保護塗装（３１）を備える領域が液体貯蔵器（３）の少なくとも全前面（３４）を包含し、保護塗装（３１）を備える領域が外面（３３）の少なくとも一つの部分領域に延びて形成されていることを特徴とする液体貯蔵器。
【発明の詳細な説明】
【技術分野】
【０００１】
この発明は、筆記装置、製図装置及びマーキング装置又はそのいずれか一つの装置並びに筆記装置、製図装置及びマーキング装置又はそのいずれか一つの装置用の貯蔵器に関する。
【背景技術】
【０００２】
液体貯蔵器と液体貯蔵器を備える筆記装置、製図装置及びマーキング装置又はそのいずれか一つの装置は原理的に知られている。この種の装置は少なくとも一つの軸と、その軸に挿入された液体貯蔵器と筆記芯を有する。
【０００３】
機能的削減性装置を得るために、個々の成分の達成された選択が必要である。例えば液体貯蔵器の成分は異なったインクシステムに適合され、基準がインク流量、包装密度、協調性を見出し、特に流出或いはインク支援行動が考慮される。これは、所謂、下方への先端による落下試験、プリッパ試験と軸受試験を判断できるための基準である。この場合には、貯蔵器の品質における既に僅かな変動がインク流れと留保性の全く異なった行動を導くことを守るべきである。装置が例えば筆記先端と反対を向いた側面に保持されて、先端が保持点を中心に迅速な運動で前後に旋回されるならば、所謂プリッパ試験といわれており、それにより装置の貯蔵器に存在するインクが先端領域において濃縮される。
【０００４】
例えば米国特許第３１４１１８７号明細書（特許文献１）とドイツ特許第２４２５５００号明細書（特許文献２）とから、実質的に軸、芯と貯蔵器から成り立つ繊維筆記体が知られている。軸内に挿入された貯蔵器が芯と液体案内接続されている。このように構成された繊維筆記体では、この繊維筆記体が所謂プリッパ試験或いは落下試験の場合には空気補償及び芯又はそのいずれか一方を介して制御されていないインクを伝えて、それにより環境の必然的な汚染が生じることが欠点である。この場合には、ほぼ本質的ではないと見做される材料から毛細管状繊維筆記体或いは焼結筆記体が構成されている。
【０００５】
さらに、日本実開昭６１ー１３３３５７号公報（特許文献３）から繊維筆記装置が知られていて、先端領域内の軸幾何学の適した構造的構成によってこの種の制御されていない小滴を筆記先端或いは軸前部分に存在する換気通路を介して阻止する。この種の構成では、費用高価な先端側軸構成が重要であり、しかも増加収集容積により挿入された液体貯蔵器の大きさの費用を上げる一種の収集容器を形成することが欠点である。
【特許文献１】米国特許第３１４１１８７号明細書
【特許文献２】ドイツ特許第２４２５５００号明細書
【特許文献３】日本実開昭６１ー１３３３５７号公報
【発明の開示】
【発明が解決しようとする課題】
【０００６】
それ故に、この発明の課題は、筆記装置、製図装置及びマーキング装置又はそのいずれか一つの装置並びにこの種の装置を創作し、前記欠点を有しなく、各時点で高い流出信頼性を保証し、貯蔵器パラメータと品質変動が従属された意味に分配されなければならないように、形成されているこの種の液体貯蔵器を備えている筆記装置、製図装置及びマーキング装置又はそのいずれか一つの装置を創作することである。
さらに、この発明の課題は、自由自在な挿入を保証して、それで価格適切に製造できる装置用貯蔵器を創作することである。
【課題を解決するための手段】
【０００７】
この課題は、液体貯蔵器の保護塗装が筆記先端に付属された側面に形成されることによって解決される。液体貯蔵器の保護塗装は筆記芯により液体案内システムを形成するように浸透されている。この保護塗装が膜、箔及び形状安定な収集容器又はそのいずれか一つとして形成され得る。膜の場合には、例えば半透過性膜が重要である。半透過性膜の場合には、液体貯蔵器が全表面上に保護塗装され得る、というのは、各時点で空気が液体貯蔵器の内部に到達でき、液状媒体が上記液体案内システムを介して伝送されるからである。
【０００８】
この場合には、この種の保護塗装が液体貯蔵器上に塗布されることは取るに足りない。保護塗装が取付けられ、収縮され、貼り付けられるか、或いは浸漬過程によって塗布され得る。浸漬保護塗装の場合には、液体貯蔵器の端部が液状媒体、場合によっては溶融浴に収容され、浴から貯蔵器を取り出した後に層が保護塗装として形成されていて、場合によっては硬化される。
【０００９】
先導された保護塗装種類の共通点はこれらが液体支援的に或いは液体密封的に形成されている、即ち筆記先端に付属された液体貯蔵器側を介して液状媒体が制御されて分配される。保護塗装が液状媒体を収集する一種の収集容器を形成させる。寸法、保護塗装によって形成された収集容器の大きさ或いは容積は液体貯蔵器に貯蔵された量に調整され得る。
【００１０】
特に好ましいものとして、この発明により構成された液体貯蔵器の使用の際に本質的時間節約がその選択では開発活動分野に現れることが明らかである、というのは、この発明の構成に基づいてインク、液体貯蔵器及び筆記装置軸又はそのいずれか一つ用の本質的より大きい開発遊び空間が与えられるからである。特に好ましいものとして、この発明による貯蔵器の使用の場合には、より高いインク量が分配されていて、それは非常に大きい筆記長さを測定可能に示すことが明らかである。さらに、この発明による貯蔵器の包装密度が可変に記述され得る。
【発明を実施するための最良の形態】
【００１１】
この発明による解決策をより良く表現するために、次の図が添付されている。図は軸１と、筆記芯２と、閉鎖蓋１１と液体貯蔵器３とから成るこの発明による液体貯蔵器を備える筆記装置、製図装置及びマーキング装置を示す。
【００１２】
軸１は換気孔１３と筆記芯２用の貫通孔１２とを有する。芯２は筆記先端２１に対抗位置する芯端２２を介して液体貯蔵器３と接続されていて、それにより流動性塗布媒体が液体貯蔵器３から筆記芯２を通して筆記先端まで輸送され得る。液体貯蔵器３は筆記先端に向いた前面３４には保護塗装３１を有し、その保護塗装部が桶状に形成されていて、外面３３の前面保護塗装３１１と外皮保護塗装３１２とから成る。前面保護塗装３１１が筆記芯用の接触開口或いは貫通開口３２を有する。この構成では、筆記芯２の外面２３が保護塗装３１により密に包囲されていて、それによりこの領域では、収集された液体が貯蔵器３から滴り落ちて、換気孔１３を通して妨げられなく貯蔵器３から流出し、その周囲環境を汚染させる。例えば装置のフリッパ、揺動或いは射出の際に液体貯蔵器の先端付近領域におけるインク過剰或いはインク過飽和をもたらし得る。
【００１３】
この発明は、筆記装置、製図装置及びマーキング装置又はそのいずれか一つの装置に関し、装置が少なくとも一つの軸と、軸に挿入された液体貯蔵器と筆記芯とを有し、筆記芯と液体貯蔵器の間に筆記媒体を案内する少なくとも一つの接触点或いは接触領域が形成されていて、少なくとも一つの液体貯蔵器が筆記芯に向いた側面には保護塗装を備える領域を有し、保護塗装を備える領域は液体貯蔵器の全自由前面を包含し、保護塗装を備える領域が少なくとも外面の部分領域に延びて形成されている。
【００１４】
少なくとも外面の部分領域に形成された領域は前面保護塗装を備える外皮保護塗装により関連して又は一部材の保護塗装として形成されている。この場合には、保護塗装を備える領域は表面保護塗装として形成されている。液体貯蔵器は繊維材料、海綿材料、合成樹脂球及び焼結された合成樹脂球又はそのいずれか一つから成る。この場合には、筆記芯が前面保護塗装の接触開口を完全に充填することが重要である。接触開口の領域において前面保護塗装と筆記芯の外面の間には毛細管状隙間が形成され得る。
【００１５】
この発明は、さらに、筆記装置、製図装置及びマーキング装置又はそのいずれか一つの装置用の液体貯蔵器に関し、貯蔵器が毛細管状に形成されていて、液体貯蔵器が保護塗装を有する表面領域を有し、保護塗装を備える領域が液体貯蔵器の少なくとも全前面を包含し、保護塗装を備える領域が外面の少なくとも一部分領域に延びて形成されている。
【００１６】
補充的にこの発明による保護塗装の別の実施態様が示されている。この実施例では、液体貯蔵器の保護塗装が高毛細管状層から成り、その層が筆記液体により完全に吸引され、この時点から液体透過性壁のように作用する、というのは、毛細管の保持力が非常に高く、液体が制御されて液体貯蔵器を通して与えられ得るからである。
【図面の簡単な説明】
【００１７】
【図１】この発明による液体貯蔵器を備える筆記装置、製図装置及びマーキング装置を示す。
【符号の説明】
【００１８】
１．．．．軸
１１．．．閉鎖蓋
１２．．．貫通孔
１３．．．換気孔
２．．．．筆記芯
２１．．．筆記先端
２２．．．芯端部
２３．．．外面
３．．．．液体貯蔵器
３１．．．保護塗装
３１１．．．前面保護塗装
３１２．．．外皮保護塗装
３２．．．接触開口
３３．．．外面
３４．．．前面
【図１】
2008254440.tif 000003